(57)【特許請求の範囲】
【請求項１】
犬の首に取り付けるための首輪であって、
該首輪に、犬の吠え声を感知すると振動する振動ユニットが設けられており、
該振動ユニットが、
犬の吠え声を感知し、その吠え声が基準音量以上になると感知信号を発信する音声認識センサと、
該音声認識センサからの感知信号が入力される制御装置と、
該制御装置に接続された状態において、該制御装置に感知信号が入力されると該振動ユニットを振動させる振動発生手段と、
前記制御装置に接続された状態において、該制御装置に感知信号が入力されると音を発生する音発生装置と、
該音発生装置および前記振動発生手段と前記制御装置との間に設けられ、前記制御装置を前記音発生装置または前記振動発生手段のいずれか一方に接続させる切換スイッチとを備えている
ことを特徴とする無駄吠え防止用首輪。
【請求項２】
前記音声認識センサが、感知信号を発信する基準音量を調整するための調整部を有する
ことを特徴とする請求項１記載の無駄吠え防止用首輪。
【請求項３】
前記振動発生手段が、
前記制御装置に接続された状態において、該制御装置に感知信号が入力されると回転されるモータと、
該モータの主軸に取り付けられ、その重心が、前記モータの主軸に対して偏心している回転部材とからなる
ことを特徴とする請求項１または２記載の無駄吠え防止用首輪。
【発明の詳細な説明】
【０００１】
【発明の属する技術分野】
本発明は、無駄吠え防止用首輪に関する。
【０００２】
【従来の技術】
従来より、家庭において家の番をさせるために、番犬として犬を飼っている。犬は、見知らぬ人が家の敷地に入ってくると威嚇して吠えるので、犬を飼うことによって泥棒等が家に侵入することを防ぐことができる。
【０００３】
【発明が解決しようとする課題】
しかるに、最近ではマンション等の室内で愛玩用として犬を飼う人が多いが、マンション等は隣家との間には壁一枚しかなく、犬が吠えるとその声がよく聞こえてうるさいので、隣の住民等から苦情が出るという問題がある。
【０００４】
本発明はかかる事情に鑑み、犬が吠えるのを防止することができる無駄吠え防止用首輪を提供することを目的とする。
【０００５】
【課題を解決するための手段】
請求項１の無駄吠え防止用首輪は、犬の首に取り付けるための首輪であって、該首輪に、犬の吠え声を感知すると振動する振動ユニットが設けられており、該振動ユニットが、犬の吠え声を感知し、その吠え声が基準音量以上になると感知信号を発信する音声認識センサと、該音声認識センサからの感知信号が入力される制御装置と、該制御装置に接続された状態において、該制御装置に感知信号が入力されると該振動ユニットを振動させる振動発生手段と、前記制御装置に接続された状態において、該制御装置に感知信号が入力されると音を発生する音発生装置と、該音発生装置および前記振動発生手段と前記制御装置との間に設けられ、前記制御装置を前記音発生装置または前記振動発生手段のいずれか一方に接続させる切換スイッチとを備えていることを特徴とする。
請求項２の無駄吠え防止用首輪は、請求項１記載の発明において、前記音声認識センサが、感知信号を発信する基準音量を調整するための調整部を有することを特徴とする。
請求項３の無駄吠え防止用首輪は、請求項１または２記載の発明において、前記振動発生手段が、前記制御装置に接続された状態において、該制御装置に感知信号が入力されると回転されるモータと、該モータの主軸に取り付けられ、その重心が、前記モータの主軸に対して偏心している回転部材とからなることを特徴とする
【０００６】
請求項１の発明によれば、犬が吠えたときに、その吠え声が基準音量以上であれば、音声認識センサが感知信号を発信する。この感知信号を受けた制御装置が切換えスイッチによって振動発生手段に接続されている場合には、振動発生手段によって振動ユニットが振動される。このため、切換えスイッチによって振動発生手段に接続した状態で、首輪を犬の首に取り付ければ、犬が基準音量以上で吠えたときに、その吠え声を振動ユニットが感知し振動する。すると、首輪も振動し、この首輪の振動が犬に伝わり、犬に不快感を与えることができるので、犬が吠えるのを防止することができる。また、切換スイッチを切り換えて音発生装置と制御装置を接続すれば、音声認識センサが犬の吠え声を感知すると、その吠え声の大きさが基準音量より大きければ、音声認識センサが制御装置に感知信号を発信し、その感知信号を受けた制御装置が音発生装置に音を発生させる。つまり、音発生装置が発する音によって、音声認識センサーが感知信号を発する吠え声の大きさ、言い換えれば、振動発生手段が振動する吠え声の大きさを飼主が認識することができる。そして、通常は、切換スイッチを切り換えてモータを制御装置に接続しておけば、犬が吠えた時に、音発生装置からは音が出ず、モータが首輪を振動させるだけであり、うるさくない。
請求項２の発明によれば、調整部によって音声認識センサが感知信号を発信する基準音量を変えることができるので、犬の体型や、犬を飼っている環境に合わせて飼主がモータを駆動させる基準音量を調整することができる。
請求項３の発明によれば、犬が吠えたときに、その吠え声を音声認識センサが感知し感知信号を発信すると、この感知信号を受けた制御装置が、振動ユニットのモータの主軸を回転させる。すると、モータの主軸に取り付けられた回転部材が回転するが、回転部材の重心が、モータの主軸に対して偏心しているので、回転部材によってモータの主軸がふれ回り運動する。すると、モータが振動し、振動ユニットも振動する。したがって、回転部材の重心がモータの主軸に対して偏心するように、回転部材をモータの主軸に取り付けるだけで、犬が吠えると振動する振動ユニットを簡単に作ることができる。
【０００７】
【発明の実施の形態】
つぎに、本発明の実施形態を図面に基づき説明する。
図１は本実施形態の無駄吠え防止用首輪１の概略説明図である。同図において、符号２は犬の首に取り付けるための首輪を示している。
本実施形態の無駄吠え防止用首輪１は、首輪２に振動ユニット１０を設けたことが特徴である。
【０００８】
つぎに、振動ユニット１０を説明する。
前記首輪２の適所には、ケース１５が取り付けられている。このケース１５は、その内部を外部から液密に密閉することができるものである。このケース１５の内部に、振動部２０が設けられている。
【０００９】
つぎに、振動部２０を説明する。
図２は、振動部２０のブロック図である。図１および図２に示すように、振動部２０は、モータ２１、回転部材２２、音声認識センサ２３、電源２４、制御装置２５、切換スイッチ２６および音発生装置２７から構成されている。
ケース１５の内部底面には、モータ２１が取り付けられている。このモータ２１は公知のモータである。
このモータ２１の主軸には、例えば縦長の棒材等の回転部材２２が取り付けられている。この回転部材２２の重心は、モータ２１の主軸に対して偏心している。
なお、回転部材２２は棒材に限定されず、円板や円柱等何でもよい。
【００１０】
また、ケース１５の内部の適所には、音声認識センサ２３が取り付けられている。この音声認識センサ２３は、犬の吠え声を感知し、その吠え声が基準音量より大きい場合に、感知信号を発信するものである。この音声認識センサ２３は、犬の吠え声を感知する感知部23a と感知信号を発信する発信部23c に加えて、感知信号を発信する基準音量を調整するための調整部23b を有している。
このため、調整部23b によって発信部23c が感知信号を発信する基準音量を変えることがでできる。
なお、感知部23a または調整部23b に感知信号を発信する機能を備えたものを使用すれば、発信部23c は設けなくてもよい。
【００１１】
前記モータ２１および前記音発生装置２７と、前記音声認識センサ２３との間には、制御装置２５が設けられている。この制御装置２５は、音声認識センサ２３が発信した感知信号を受けて、モータ２１を駆動させたり、音発生装置２７から音を発生させたりするものである。
【００１２】
この制御装置２５とモータ２１および音発生装置２７の間には、切換スイッチ２６が設けられている。この切換スイッチ２６は、制御装置２５をモータ２１に接続させたり、制御装置２５を音発生装置２７に接続させたりするためのものである。このため、切換スイッチ２６を切り換えれば、音声認識センサ２３が感知信号を発信したときに、制御装置２５によってモータ２１を駆動させたり、音発生装置２７から音を発生させたりすることができる。
【００１３】
前記モータ２１、音声認識センサ２３、制御装置２５および音発生装置２７は、電線等によって電源２４に接続されている。この電源２４は、例えば電池等の小型の電源であって、モータ２１、音声認識センサ２３、制御装置２５および音発生装置２７に電力を供給するものである。
【００１４】
上記のごとく、振動ユニット１０は、回転部材２２の重心がモータ２１の主軸に対して偏心するように、回転部材２２をモータ２１の主軸に取り付けるだけで、犬が吠えると振動する振動ユニット１０を簡単に作ることができる。
なお、モータ２１、音声認識センサ２３、制御装置２５、切換スイッチ２６および音発生装置２７を、基板上に配置して、ケース１５内に収容してもよい。
【００１５】
つぎに、本実施形態の無駄吠え防止用首輪１の作用と効果を説明する。
まず、無駄吠え防止用首輪１の首輪２を犬の首に取り付ける。
ついで、切換スイッチ２６を切り換えて音発生装置２７と制御装置２５を接続すれば、音声認識センサ２３が犬の吠え声を感知すると、その吠え声が基準音量以上の場合、音声認識センサ２３が感知信号を発信し、その感知信号を受けた制御装置２５が音発生装置２７に音を発生させる。
【００１６】
もし、犬の吠え声が小さくても音発生装置２７から音が出れば、調整部23b によって音声認識センサ２３の基準音量を上げてやれば、小さい吠え声では音声認識センサ２３から制御装置２５に感知信号を発信しないように調整することができる。
つまり、音声認識センサ２３から制御装置２５に感知信号を送る吠え声の大きさを、飼主が音発生装置２７から音が発生するかしないかによって判断して、音声認識センサ２３の基準音量を調整できるので、音声認識２３センサの感度調整が容易になる。
【００１７】
音声認識センサ２３の感度調整が終了すると、切換スイッチ２６を切り換えて制御装置２５をモータ２１に接続する。すると、犬が吠えると、その吠え声を振動ユニット１０の音声認識センサ２３が感知し、設定された基準音量より吠え声が大きければ、音声認識センサ２３が感知信号を制御装置２５に発信する。
【００１８】
この感知信号を受けた制御装置２５によって、モータ２１の主軸は回転部材２２とともに回転させられる。
【００１９】
この回転部材２２は、その重心がモータの主軸に対して偏心している。このため、回転部材２２が回転すると、モータ２１の主軸には半径方向に力が加わり、モータ２１の主軸がふれ回り運動するので、モータ２１が振動し、振動ユニット１０も振動する。
【００２０】
すると、振動ユニット１０が設けられた首輪２も振動し、この首輪２の振動が犬に伝わり、犬に不快感を与えることができるので、犬が吠えるのを防止することができる。
【００２１】
上記のごとく、本実施形態の無駄吠え防止用首輪１によれば、犬が吠えるのを防止することができるという効果を奏する。
【００２２】
【発明の効果】
請求項１の発明は、切換えスイッチによって振動発生手段に接続した状態で、首輪を犬の首に取り付ければ、犬が基準音量以上で吠えたときに、その吠え声を振動ユニットが感知し振動する。すると、首輪も振動し、この首輪の振動が犬に伝わり、犬に不快感を与えることができるので、犬が吠えるのを防止することができる。また、切換スイッチを切り換えて音発生装置と制御装置を接続すれば、音声認識センサが犬の吠え声を感知すると、その吠え声の大きさが基準音量より大きければ、音声認識センサが制御装置に感知信号を発信し、その感知信号を受けた制御装置が音発生装置に音を発生させる。つまり、音発生装置が発する音によって、音声認識センサーが感知信号を発する吠え声の大きさ、言い換えれば、振動発生手段が振動する吠え声の大きさを飼主が認識することができる。そして、通常は、切換スイッチを切り換えてモータを制御装置に接続しておけば、犬が吠えた時に、音発生装置からは音が出ず、モータが首輪を振動させるだけであり、うるさくない。
請求項２の発明によれば、犬の体型や、犬を飼っている環境に合わせて飼主がモータを駆動させる基準音量を調整することができる。
請求項３の発明は、回転部材の重心がモータの主軸に対して偏心するように、回転部材をモータの主軸に取り付けるだけで、犬が吠えると振動する振動ユニットを簡単に作ることができ、振動ユニットが振動すれば、首輪も振動するのでこの首輪の振動が犬に伝わり、犬に不快感を与えることができ、犬が吠えるのを防止することができる。
【図面の簡単な説明】
【図１】    本実施形態の無駄吠え防止用首輪１の概略説明図である。
【図２】    振動部２０のブロック図である。
【符号の説明】
１    無駄吠え防止用首輪
１０    振動ユニット
２１    モータ
２２    回転部材
２３    音声認識センサ
２３ｂ  調整部
２４    電源
２５    制御装置
２６    切換スイッチ
２７    音発生装置
【図１】
0003635234.tif 000002
【図２】
0003635234.tif 000003